(57)【要約】 【課題】  コンピュータの画面上で建築物面積、たとえば床面積を算出する場合、壁の端部を基準にマウスをトレースして寸法を測っていた。【解決手段】  建築物の設計図をコンピュータ上で表示し、壁等の仕切部により囲まれる多角形の領域を三角形に分割し、前記仕切部の中間にある基準線をトレースすることにより壁仕切辺の長さを演算し、演算した辺の長さを基に多角形を構成する各三角形の面積を演算し、前記三角形の面積を合算する建築物面積演算装置および方法。【選択図】図１
2011128925.tif 000002
【特許請求の範囲】
【請求項１】
仕切部の中心線情報を出力する第１の出力手段と、仕切部の厚み情報を出力する第２の出力手段と、第１の出力手段と第２の出力手段とから演算した仕切部の内法情報を出力する第３の出力手段と、第３の出力手段によって出力される仕切部の内法情報をもとに構成される領域の面積を演算する面積演算装置。
【請求項２】
前記領域を少なくとも一つの三角形に分割する手段と、前記分割した三角形の三つの辺の長さを基に構成する三角形の面積を演算する手段と、前記三角形の面積を合算する手段と、を備えた請求項１に記載の建築物面積演算装置。
【請求項３】
仕切部の中心線情報を出力する第１のステップと、仕切部の厚み情報を出力する第２のステップと、第１の出力手段と第２の出力手段とから演算した仕切部の内法情報を出力する第３のステップと、第３のステップによって出力される仕切部の内法情報をもとに構成される領域の面積を演算する面積演算方法。
【請求項４】
前記領域を少なくとも一つの三角形に分割する第４のステップと、前記分割した三角形の三つの辺の長さを基に構成する三角形の面積を演算する第５のステップと、前記三角形の面積を合算する第６のステップと、を備えた請求項３に記載の建築物面積演算方法。
【請求項５】
前記仕切部は壁、床、天井である請求項１または３に記載の建築物面積演算装置または方法。
【発明の詳細な説明】
【技術分野】
【０００１】
本発明は、建築物の面積、たとえば床面積を演算する建築物面積演算装置および方法に関する。
【背景技術】
【０００２】
ＣＡＤ図面上で所望の個所、たとえば部屋の床面積を求める場合に、部屋の壁の端をマウスでトレースし、コンピュータ上で得られた数値をもとに所定の演算式でその面積を求めていた。
【０００３】
そこで、図６で示す特許文献１に示すように、ＣＡＤ図面を使ってマウスポインタを点（甲）に置き、クリックし、クリックした状態を保ったまま、マウスポインタを点（乙）の位置まで移動させた後、クリック状態を解除する。そうすると居間部分と同形の矩形を認識し、コンピュータ上で面積を算出できる。部屋の形状によっては一部が三角形状の部屋もあり、必ずしも矩形で分割できるものではないので特許文献１に示すようにマウスポインタを斜めに移動するだけで面積を算出できるわけではない。また、この方法は居間の端を基準としており、端から端までを算出する方法である。
【０００４】
建築図面において、建築面積とは、その建物の水平投影面積（上から見た見附面積）をいい、延べ床面積とは、各階の床面積の合計をいい、どちらも建物の通り芯（区画の中心線）により計算する。そこで柱、壁芯を基準に図面が書かれているのが通例である。
【０００５】
また、従来例のように矩形の対角方向をトレースするので居間の端部をマウスポインタでトレースすることは、画面上で相対する辺の間を測定することになり、トレースするのでそれぞれの辺の測定において誤差を含む可能性があり、計算も煩雑になる欠点を有する。
【先行技術文献】
【特許文献】
【０００６】
【特許文献１】特開２００２−３４２３８８号公報
【発明の概要】
【発明が解決しようとする課題】
【０００７】
本発明は、このような従来の構成が有していた問題を解決しようとするものであり、建築図面の壁芯を基準に図面を作成するという特徴を生かして、壁芯間距離と、壁厚を用いてより合理的な建築物面積演算装置および方法を提供することを目的とするものである。
【課題を解決するための手段】
【０００８】
本発明の請求項１は、仕切部の中心線情報を出力する第１の出力手段と、仕切部の厚み
情報を出力する第２の出力手段と、第１の出力手段と第２の出力手段とから演算した仕切
部の内法情報を出力する第３の出力手段と、第３の出力手段によって出力される仕切部の
内法情報をもとに構成される領域の面積を演算する面積演算装置を提供するものである。
例えば部屋の面積を演算する際に建築図面の特徴である仕切部の中心線情報と、仕切部厚み情報を使って演算を行う。
【０００９】
請求項２は、前記領域を少なくとも一つの三角形に分割する手段と、前記分割した三角形の三つの辺の長さを基に構成する三角形の面積を演算する手段と、前記三角形の面積を合算する手段と、を備えた請求項１に記載の建築物面積演算装置を提供するものであり、多角形の面積を演算するときに多角形を三角形に分割しておこなう。
【００１０】
請求項３は、仕切部の中心線情報を出力する第１のステップと、仕切部の厚み情報を出力する第２のステップと、第１の出力手段と第２の出力手段とから演算した仕切部の内法情報を出力する第３のステップと、第３のステップによって出力される仕切部の内法情報をもとに構成される領域の面積を演算する面積演算方法を提供するものであり、請求項１が装置に関するもので請求項３は方法に関するものである。
【００１１】
請求項４は、前記領域を少なくとも一つの三角形に分割する第４のステップと、前記分割した三角形の三つの辺の長さを基に構成する三角形の面積を演算する第５のステップと、前記三角形の面積を合算する第６のステップと、を備えた請求項３に記載の建築物面積演算方法を提供するものであり、請求項２が装置に関するもので請求項４は方法に関するものである。
【００１２】
請求項５は、前記仕切部は壁、床、天井である請求項１または３に記載の建築物面積演算装置または方法を提供するものであり、仕切部を壁ばかりでなく床、天井について述べている。
【発明の効果】
【００１３】
上述したように、建築図面は仕切部の中間、たとえば壁芯を基準に書かれているのが通例である。コンピュータ上で設計図における仕切部の中心線情報と、仕切部の厚さの寸法を用いて実際の辺の長さを演算し、演算した三つの辺で三角形を形成し、その面積を求め、さらに複数の面積を合算して面積を求めることは、辺の長さを直接に測定して測面積を測定するよりも容易である。
【００１４】
また、仕切部の中心線情報と厚み情報をあらかじめ持たすことにより、中心線をトレースすると同時に厚み情報を持たすことで同時に二つの内法線を描くことができる。
【図面の簡単な説明】
【００１５】
【図１】本発明の建築物面積演算装置および方法の内容を示す概念図
【図２】図１の要部拡大図
【図３】本発明の建築物面積演算装置および方法のブロック図
【図４】本発明の建築物面積演算装置および方法を示すフローチャート
【図５】本発明の建築物面積演算装置および方法の面積を求める説明図
【図６】先行技術
【発明を実施するための形態】
【００１６】
以下本発明の実施形態を図１から図５に基づいて説明する。
【実施例１】
【００１７】
図１は本発明の建築物面積演算装置および方法の内容を示す概念図を示す。
Ｒ１、Ｒ２はそれぞれ室を示し、壁がそれぞれＷ１、Ｗ２、Ｗ３、Ｗ４、Ｗ５、Ｗ６の厚さで配置されている壁で包囲して室Ｒ１、Ｒ２を構成している。室Ｒ１、Ｒ２をそれぞれ破線で示すように複数の三角形に分割されている。
【００１８】
室Ｒ１の壁はＪ、Ｋ、Ｌ、Ｍ、Ｎで示され、Ａ〜Ｅを三角形の頂点とし、分割された三角形の後に、Ａ〜Ｅを記載し、三角形ＡＢＣ、三角形ＡＣＤ、三角形ＡＤＥと示している。室Ｒ２は、二つの三角形に分割するが詳細は省略する。
【００１９】
図２は、図１で示している室Ｒ１の壁の中間を示す一点鎖線を実線で描き、拡大した図を示す。
【００２０】
壁Ｊ、Ｋ、Ｌ、Ｍ、Ｎの壁の中間を通る線を「中心線」と表す。
壁Ｌの「中心線」と壁Ｎの「中心線」との間との間隔はＧ１で示し、壁Ｊの「中心線」と壁Ｍの「中心線」との間の間隔はＨ１で示し、壁Ｊと壁Ｋとのなす角度は所定の角度である。
壁Ｊと壁Ｋの「中心線」の結合点は壁Ｎの「中心線」からＧ２の距離にあり、壁Ｌと壁Ｋの「中心線」の結合点は壁Ｊの「中心線」からＨ２の距離にある。
【００２１】
不図示のコンピュータのマウスで壁Ｊ、Ｋ、Ｌ、Ｍ、Ｎの「中心線」をトレースし、コンピュータ上でトレースした長さを記憶する。
【００２２】
【数１】
2011128925.tif 000003
【００２３】
【数２】
2011128925.tif 000004
【００２４】
辺ＡＢの長さと、三角形ＡＢＣの底辺ＡＢからの高さは壁ＢＣの厚さW５よって変化する。
【００２５】
図３は、本発明の建築物面積演算装置および方法のブロック図を示す。
たとえば床面積を算出する際に、室を構成する壁の「中心線」をトレースして、トレースした長さ「トレース長」と壁厚とから三辺の長さを求めて、演算装置に導く。
一つの三角形の面積が出力される。各三角形の面積を合算して室の床面積を求める。
【００２６】
図４は、本発明の建築物面積演算装置および方法の動作を示すフローチャートである。
【００２７】
まず、Ｓ１で面積を求める領域を指定し、Ｓ２で、壁厚データを出力し、Ｓ３で壁厚の「中心線」をトレースし、Ｓ４で領域を構成する多角形の辺の長さを決定する。Ｓ５でこの領域を複数の三角形に分割し、Ｓ６で各三角形の面積を演算し、Ｓ７で三角形の面積の総和を演算し、Ｓ８で領域の面積を算出する。
【００２８】
図５は複数の三角形に分割したある領域を示す。
【００２９】
領域を複数の三角形（Ｉ  ＩＩ  ＩＩＩ）、三角形（ＩＶ  Ｖ  ＶＩ）、三角形（ＶＩ  ＶＩＩ  ＩＩＩ）に分割し、三角形（ＶＩ  ＶＩＩ  ＩＩＩ）について説明する。
一辺Ｉは（ｃ−ａ）の二乗と（ｄ−ｂ）の二乗の和の平方根、一辺ＩＩは（ｃ−ｅ）の二乗と（ｄ−ｆ）の二乗の和の平方根，一辺ＩＩＩ（ｅ−ａ）の二乗と（ｆ−ｂ）の二乗の和の平方根で示す。
【００３０】
三辺の長さが分かればヘロンの公式より面積が演算できる。
【００３１】
ここまで壁について述べたが、壁でなくとも、室を他の室と隔てる仕切板、天井板でも、その板の中間を通る「中心線」を基準に寸法を出してもよいことは言うまでもない。
【符号の説明】
【００３２】
Ｗ１、Ｗ２、Ｗ３、Ｗ４、Ｗ５、Ｗ６          壁厚
Ｊ、Ｋ、Ｌ、Ｍ、Ｎ                          壁
【図１】
2011128925.tif 000005
【図２】
2011128925.tif 000006
【図３】
2011128925.tif 000007
【図４】
2011128925.tif 000008
【図５】
2011128925.tif 000009
【図６】
2011128925.tif 000010